(57)【要約】【課題】スマートフォンやタブレット型コンピュータなどのような平板状携帯端末に好適なカバーの提供。【解決手段】平板状携帯端末Ｘの表面を覆う本体部材１１ａと、その平板状携帯端末Ｘの裏面側に対して着脱可能に取り付けられる補助部材１１ｂを備える。前記本体部材１１ａは、平板状携帯端末Ｘの画面Ｘａを覆うシート状のカバー部２１と、該カバー部２１に結合される保持紐部３１とで構成される。前記保持紐部３１は全体が伸縮性を有する材料で形成され、その両端がそれぞれカバー部２１の上側部分または下側部分に結合されるとともに、保持紐部３１の平板状携帯端末Ｘの裏面側の部分が、前記補助部材１１ｂに固定される。これによって、本体部材１１ａが平板状携帯端末Ｘに対して間接的に固定された状態のまま、前記カバー部２１を、カバー部２１が前記画面Ｘａを覆う被覆位置と、裏面側に退く後退位置とに姿勢変更可能となる。【選択図】図７
2012125466.tif 000002
【特許請求の範囲】
【請求項１】
平板状携帯端末の表面の画面を覆うシート状のカバー部と、
該カバー部に結合される保持紐部を備え、
該保持紐部の少なくとも一部に、伸縮性を有する伸縮部が設けられるとともに、前記平板状携帯端末に直接または間接的に固定される固定部が設けられて、
該固定部で固定されたままで前記カバー部を、カバー部が前記画面を覆う被覆位置と、平板状携帯端末の表面よりも裏面側に退く後退位置とに姿勢変更可能である
平板状携帯端末カバー。
【請求項２】
前記固定部が、前記平板状携帯端末の裏面又はこれに対応する部位に設けられた
請求項１に記載の平板状携帯端末カバー。
【請求項３】
前記平板状携帯端末に対して着脱可能に取り付けられる補助部材が備えられ、
該補助部材に前記固定部が固定された
請求項１または請求項２に記載の平板状携帯端末カバー。
【請求項４】
前記カバー部、保持紐部又はこれらの境界部分に、互いに分離接合する係脱手段が設けられた
請求項１から請求項３のうちのいずれか一項に記載の平板状携帯端末カバー。
【請求項５】
前記固定部の外側面の手に当たる部位に、当て部材が設けられた
請求項１から請求項４のうちのいずれか一項に記載の平板状携帯端末カバー。
【請求項６】
前記保持紐部が、平板状携帯端末の長手側に設けられた
請求項１から請求項５のうちのいずれか一項に記載の平板状携帯端末カバー。
【請求項７】
前記カバー部が、複数枚のシート材を重合して形成された
請求項１から請求項６のうちのいずれか一項に記載の平板状携帯端末カバー。
【請求項８】
複数枚のシート材のうちの上面側のシート材に装飾部材を備えた
請求項１から請求項７のうちのいずれか一項に記載の平板状携帯端末カバー。
【請求項９】
複数枚のシート材のうちの上面側のシート材に、それより下のシート材を露出させる装飾切欠を備えた
請求項１から請求項８のうちのいずれか一項に記載の平板状携帯端末カバー。
【発明の詳細な説明】
【技術分野】
【０００１】
この発明は、例えばスマートフォンやタブレット型コンピュータなどのように、大きな画面を有する平板状の携帯端末に好適なカバーに関する。
【背景技術】
【０００２】
従来、携帯電話機のカバーとして、下記特許文献１、２などに開示されたカバーが提案されている。
【０００３】
特許文献１のカバーは、全体が伸縮性を有する筒状のカバーである。ホックの着脱などによる開閉が不要で、携帯電話機に対して容易に着脱できるというものである。
【０００４】
特許文献２のカバーは、携帯電話機の操作面から背面に至る長さの方向の外周面を被覆可能で伸縮性を有する環状の帯状体と、この帯状体を携帯電話に連繋させるいわゆるストラップのような連繋具とからなるものである。この特許文献２のカバーでは、帯状体を携帯電話機に対して添着するための面ファスナを備えることも開示されている。帯状体を携帯電話機の側面に取り付けることによって、帯状体をハンドルとしても使用できるというのである。
【先行技術文献】
【特許文献】
【０００５】
【特許文献１】登録実用新案第３１５４７９９号公報
【特許文献２】特開平１０−１９２０３０号公報
【発明の概要】
【発明が解決しようとする課題】
【０００６】
特許文献１のカバーでは、確かにホックの着脱などによる開閉が不要であるが、着脱には両手が不可欠で、着脱のための操作性は必ずしもよくはない。携帯電話機に取り付ける手段がないので、カバーを紛失してしまうおそれもある。
【０００７】
特許文献２のカバーでは連繋具を備えるので、連繋具が切れたりしない限り、カバーを紛失するおそれはない。しかし、携帯電話機を被覆する帯状体が筒状であり、その収縮力のみで携帯電話機に対する被覆状態を保持しているので、鞄に入れたりしているときに他の物品と接触して、帯状体がずれやすい。特に、伸縮性のある生地は一般に、携帯電話機との間では滑りやすいものであるので、帯状体のずれや脱落が容易に起こることが考えられる。
【０００８】
帯状体が脱落すれば、連繋具があったとしても帯状体は携帯電話機から完全に離れ、携帯電話機はむき出しになる。この結果、携帯電話機を保護することはできない。
【０００９】
また、特許文献２のカバーでは帯状体がハンドルの機能も果たすというものであるが、連繋具で繋がっているだけの帯状体を、携帯電話機に対して面ファスナで係止する動作が、着脱操作とは別に必要であり、携帯電話機の迅速な操作はできない。
【００１０】
さらに、特許文献１、２いずれのカバーも、伸縮性を有する生地でカバー全体や帯状体が形成されているので、素材が限定され、外観の多様性は得にくかった。
【００１１】
近年、スマートフォンやタブレット型コンピュータの需要が伸びてきているが、これらのように大画面ゆえに画面保護の要請が強い平板状携帯端末に適したカバーは、これまで存在しなかった。
【００１２】
そこで、この発明は、より確実に画面の保護が行えて操作性も良好であり、外観も美麗にできるようにすることを主な課題とする。
【課題を解決するための手段】
【００１３】
そのための手段は、平板状携帯端末の表面の画面を覆うシート状のカバー部と、該カバー部に結合される保持紐部を備え、該保持紐部の少なくとも一部に、伸縮性を有する伸縮部が設けられるとともに、前記平板状携帯端末に直接または間接的に固定される固定部が設けられて、該固定部で固定されたままで前記カバー部を、カバー部が前記画面を覆う被覆位置と、平板状携帯端末の表面よりも裏面側に退く後退位置とに姿勢変更可能な平板状携帯端末カバーである。
【００１４】
この構成により、平板状携帯端末カバーのカバー部は、平板状携帯端末の表面を覆い、被覆位置にあるこの被覆状態を、固定部を有する保持紐部が伸縮部の収縮力によって保持する。このため、平板状携帯端末の画面はカバー部によって保護される。
【００１５】
平板状携帯端末を使用するときには、カバー部を、保持紐部における伸縮部の収縮力に抗して平板状携帯端末の表面上でずらし、画面を露出させる。カバー部を表面から退かせて後退位置に移したときには、保持紐部が固定部によって平板状携帯端末に直接又は間接的に固定されているため、そのままハンドルとしての役割を果たす。カバー部を完全に裏面側に移動させると、平板状携帯端末を握らずとも、その裏面に手を添えるようにするだけで、手はカバー部と平板状携帯端末との間に保持され、この状態で携帯端末の使用ができる。
【発明の効果】
【００１６】
以上のように、この発明によれば、少なくとも一部に伸縮部を有する保持紐部を備えるので、カバー部を伸縮性のある生地で構成する必要がなく、より確実に画面の保護が行える。このカバー部はシート状であり、一部に伸縮部を有する保持紐部で平板状携帯端末に対して保持されるので、画面に対する被覆状態を解除することも容易で、操作性が良好である。またカバー部には、適宜の素材のものを使用できるので、外観を美麗にすることができる。
【図面の簡単な説明】
【００１７】
【図１】平板状携帯端末カバーの装着状態の平面図。
【図２】平板状携帯端末カバーを平板状携帯端末から分離した状態の平面図。
【図３】平板状携帯端末カバーの分解状態の一部破断側面図。
【図４】他の例に係る平板状携帯端末カバーの固定部部分を示す斜視図。
【図５】平板状携帯端末カバーをハンドルとして使用するときの状態を示す断面図。
【図６】他の例に係る平板状携帯端末カバーの固定部部分を示す断面図。
【図７】作用状態を示す平面図。
【図８】作用状態を示す平面図。
【図９】他の例に係る平板状携帯端末カバーの装着状態の平面図と断面図。
【図１０】他の例に係る平板状携帯端末カバーの装着状態の平面図。
【図１１】他の例に係る平板状携帯端末カバーの装着状態の平面図。
【図１２】図１１の平板状携帯端末カバーの部分断面図。
【図１３】他の例に係る平板状携帯端末カバーの装着状態の平面図と、その一部拡大断面図。
【発明を実施するための形態】
【００１８】
この発明を実施するための一形態を、以下図面を用いて説明する。  
図１は、手のひらに乗る程度の大きさの平板状携帯端末Ｘ（以下、「携帯端末」という。）に平板状携帯端末カバー１１（以下、「カバー」という。）を装着した状態を示す平面図である。図２は、カバー１１を携帯端末Ｘから分離した状態の平面図で、図３は、カバー１１を構成する部材を分解した状態を示す一部破断側面図である。
【００１９】
これらの図に示すように、カバー１１は本体部材１１ａと補助部材１１ｂを有する。本体部材１１ａは、携帯端末Ｘの表面の画面Ｘａを覆うシート状のカバー部２１と、このカバー部２１に結合される保持紐部３１を備える。補助部材１１ｂは、携帯端末Ｘに対して着脱可能に取り付けられるものである。これら本体部材１１ａと補助部材１１ｂは、前記保持紐部３１の一部に形成された固定部３２を補助部１１ｂに固定して一体化される。このため、固定部３２は携帯端末Ｘに対して間接的に固定されることになる。
【００２０】
まず、補助部材１１ｂについて説明すると、補助部材１１ｂは合成樹脂製で、携帯端末Ｘの裏面を覆う裏面部１５と、四側面を覆う外周部１６とを有する薄い皿状に形成されている。外周部１６は携帯端末Ｘの外周縁に係合する形状の係合部１７であって、係合時には携帯端末Ｘと一体になる。
【００２１】
補助部材１１ｂは、携帯端末Ｘの裏面と四側面を全体的に覆う形状であるほか、裏面部の不要な部分を適宜切り欠いた形状でもよい。また補助部材１１ｂは、例えば図４に示したように携帯端末の長手方向と直交する方向の両端に係合部１７を有する平面視短冊状でもよい。このような補助部材１１ｂでは、携帯端末Ｘに対する着脱が携帯端末Ｘの長手方向への移動でも可能であって、着脱操作が容易であるとともに、携帯端末Ｘの多少の形状の違いにも対応できる。
【００２２】
つぎに、本体部材１１ａについて説明する。  
本体部材１１ａのカバー部２１は、携帯端末Ｘの表面よりも一回り小さい程度の大きさのシート状である。携帯端末Ｘが平面視略長方形をなすので、カバー部２１も平面視略長方形をなす。カバー部２１の素材としては、適宜のものを使用できる。好ましくは、可撓性または柔軟性を有するものがよく、更に好ましくは画面の汚れを拭き取れるような材質のものがよい。また、導電性を有しない材料も好ましい。
【００２３】
カバー部２１は色の異なる２枚のシート材２１ａ，２１ｂを重合して形成され、上面側のシート材２１ａに適宜の装飾部材２２，２３，２４を固定している。この固定は、留め具２５をかしめて行うが、このかしめ部分２５ａが、図３に示したように、上面側のシート材２１ａと下面側のシート材２１ｂの間に位置するので、かしめ部分２５ａが携帯端末Ｘの画面Ｘａに接触して画面Ｘａが損傷するおそれはない。
【００２４】
また上面側のシート材２１ａには、色違いの下面側のシート材２１ｂを露出させる装飾切欠２６，２７が形成されている。装飾切欠２６，２７は、下面側のシート材２１ｂの外形よりも内側に入り込む切欠２６や、厚み方向に貫通する穴２７で構成できる。
【００２５】
本体部材１１ａの保持紐部３１は、伸縮性を有するベルト状に形成され、両端がそれぞれ、カバー部２１の長手方向の両端に結合されている。この結合部３０の位置は、カバー部２１の幅方向の中間である。図面上、結合部３０には、カバー部２１に保持紐部３１を縫着するための縫い目をあらわしたが、このような縫い目が露出しないようにしてもよく、また縫着以外の手段で結合してもよい。
【００２６】
保持紐部３１をカバー部２１に対して結合すると、図３に示したようにループ状になる。保持紐部３１は前記のように全体が伸縮性を有するので、保持紐部３１全体が伸縮部３３となる。保持紐部３１の長さは、カバー部２１を携帯端末Ｘの表面に保持できる保持力を有するとともに、図５に仮想線で示したように手Ｙを入れたときにある程度の安定性を得られるように設定される。
【００２７】
そして保持紐部３１上における前記携帯端末Ｘの裏面の中央に相当する位置に、前記固定部３２が形成されている。固定部３２は、適宜の生地などからなる板状の固定板３２ａを固定して構成され、この固定板３２ａは両面粘着テープ３４により、図３に矢印で示したように、前記補助部材１１ｂの裏面部の中央に固定される。固定は、両面粘着テープ３４のほか、例えば面ファスナや図６に示したような留め具３５のかしめによって行うこともできる。この場合、留め具３５が携帯端末Ｘに接触しないように、補助部材１１ｂの留め具３５部分には膨出部１８が形成される。
【００２８】
また固定板３２ａの保持紐部３１を介した外側面には、手Ｙに持ったときに手Ｙに当たる当て部材３６が設けられている。当て部材３６は、適宜の生地で構成され、その形状は、例えば楕円形など適宜設定され、前記カバー部２１と同様に装飾切欠３７が形成される。この当て部材３６は、前記カバー部２１と同一又は類似する素材を用い、同様の装飾を施すことによって調和が得られる。
【００２９】
このように構成されたカバー１１を使用するには、まず、本体部材１１ａのカバー部２１を補助部材１１ｂの上面から移動して補助部材１１ｂの上面を開放する。続いて、この状態の補助部材１１ｂに対して携帯端末Ｘを係合して、携帯端末Ｘに一体化する。このあと、カバー部２１を携帯端末Ｘの表面に被せて被覆位置に移動すると、カバー部２１が携帯端末Ｘの画面Ｘａを覆う。この状態は、本体部材１１ａにおける保持紐部３１の収縮力で保持される。
【００３０】
このとき、カバー部２１は、シート状であるが伸縮性が必要でないため、形状保持力を有する。形状保持力は、カバー部２１を２枚のシート材２１ａ，２１ｂを重合して構成したことによっても得られる。また保持紐部３１は、カバー部２１の長手方向の両側に形成されているので、長手方向と直交する方向の両側に形成した場合に比して、カバー部２１が捲れ上がる可能性は低くなる。
【００３１】
しかも本体部材１１ａは、携帯端末Ｘと一体となる補助部材１１ｂに固定されているので、カバー部２１が携帯端末Ｘから脱落してしまうことはない。
【００３２】
このため、携帯端末Ｘの表面を保護するという機能をより確実に発揮できる。また携帯端末Ｘが誤って電源オン状態にあった場合でも、カバー部２１が画面を覆っているので誤作動の発生を防止できる。
【００３３】
携帯端末Ｘを使用するときには、図７に示したように、手のひらに補助部材１１ｂの裏面を当てた状態にして保持し、カバー部２１を、その長手方向と直交する方向に、仮想線で示したようにずらす。この移動は、カバー部２１が変形するうえに保持紐部３１が伸びるので、固定部３２が固定された状態のままでも容易に行える。
【００３４】
しかもカバー部２１が変形性を有するので、保持紐部３１の伸縮量は少なくてもよい。このため、保持紐部３１の長さを短く設定しても、カバー部２１と保持紐部３１との協働で前記のように容易な姿勢変更が可能な上に、姿勢変更以外には外れにくくすることができて、より確実に画面Ｘａ保護の役割を果たすことができる。
【００３５】
カバー部２１をずらして後退位置に移した後は、カバー部２１を手Ｙの甲側に移動させ、カバー部２１の裏面が手の甲に当たるようにする。
【００３６】
保持紐部３１の固定部３２は携帯端末Ｘの裏面に対応する部位、特に裏面の中央に対応する位置に設けられているので、保持紐部３１が伸びる上に長さも長くて余裕がある。このため、捩れなどの変形が円滑になされ、カバー部２１の移動操作は極めて容易である。
【００３７】
カバー部２１を手Ｙの甲に当てた状態にすると、手Ｙは当て部材３６とカバー部２１に挟まれて（図５参照）、図８に示したように、補助部材１１ｂを強く握らずとも携帯端末Ｘを安定して保持できる。当て部材３６は、装飾機能のほか、手Ｙに対する感触を和らげたりする作用も行うので、快適な保持が可能である。
【００３８】
携帯端末Ｘの操作は、カバー部２１を後退位置に姿勢変更したあとの画面Ｘａで行える。このとき、携帯端末Ｘは前記のように強く握らずとも（図８参照）、手のひらに乗せたような状態で操作ができるので、持つほうに注意を集中せずともよく、操作が快適に行え、携帯端末Ｘを不測に落とすような心配もない。
【００３９】
また、携帯端末Ｘを被覆する本体部材１１ａをカバー部２１と保持紐部３１に分けて、カバー部２１には伸縮性を有する素材を不要にしたので、前記のような装飾部材２２，２３，２４を装着することが可能であるとともに、カバー部２１を構成するシート材２１ａ，２１ｂを生かした装飾も可能である。このため、所望の美麗な外観が得られ、多様な装飾や、他との差別化、バリエーションの多様化もできる。
【００４０】
そのうえ、カバー部２１の素材に画面Ｘａの汚れを拭き取る機能を持たせることにより、極めて汚れ易く汚れが目立つ大画面を、常にきれいな状態に保つことができる。つまり、カバー部２１が完全に固定されているのではなく、保持紐部３１によって適宜移動可能な状態に保持されているので、鞄に入れているときなどでも振動や他の物品との接触で自動的に拭き取り動作がなされることになり、画面Ｘａをあけるたびに美麗な大画面を見ることができることになる。この点からも、携帯端末Ｘの操作が快適に行えるという効果も得られる。
【００４１】
さらに、本体部材１１ａは補助部材１１ｂを介して携帯端末Ｘに固定されるので、携帯端末Ｘに直接固定する場合と比較して、携帯端末Ｘに粘着剤を付着させることがなく、カバーの交換（着せ替え）が容易である。
【００４２】
加えて、本体部材１１ａはカバー部２１と保持紐部３１で構成するものであるので、携帯端末Ｘの形態に応じて保持紐部３１の形状や取り付け方を適宜設定すれば、平面視長方形以外の形状、たとえば小判型の携帯端末に対しても取り付けが可能であって、様々な形状の機種に幅広く適用できる。
【００４３】
以下、その他の例について説明する。この説明において、先の構成と同一又は同等の部位については同一の符号を付して、その詳しい説明を省略する。
【００４４】
カバー１１は、図９に示したように補助部材を省略してもよい。図９（ａ）は、携帯端末Ｘにカバー１１を装着した状態の平面図であり、図９（ｂ）はその一部破断側面図である。これらの図に示すように、カバー１１は補助部材がないだけで、その他の構成は前記と同様である。携帯端末Ｘに対する固定は、固定板３２ａに設けた両面粘着テープ３４によって直接行う。面ファスナを用いてもよい。固定位置は携帯端末Ｘの裏面、好ましくは中央に行う。
【００４５】
このように補助部材を省略した場合には、携帯端末Ｘに対する適用範囲が広くなる利点がある。
【００４６】
図１０は、他の例に係るカバー１１を携帯端末Ｘに装着した状態の平面図である。このカバー１１は、カバー部２１に対する保持紐部３１の取り付け位置を変更したものであり、保持紐部３１の両端が携帯端末Ｘの長手側に設けられるが、カバー部２１の上側の結合部３０に結合される一端をカバー部２１の幅方向の中間に設定したのに対して、カバー部２１の下側の結合部３０に結合される他端を幅方向の一方の角部分に設定している。下側の結合部３０に接合する部分３１ａは、角部分に固定することから上側の結合部３０に結合する部分３１ｂよりも細くして、２本並べて構成している。幅広の保持紐部３１に切り込みを入れて形成することもできる。
【００４７】
このように構成されたカバー１１では、下側の結合部３０近傍を指で押してカバー部２１が外れる方向に移動させると（図１１の仮想線参照）、上下ともにカバー部２１の中間に結合した場合と比較して、容易な操作でカバー部２１を外すことができる。カバー部２１の剛性は、シート材２１ａ，２１ｂの重合や材料の選択などで適宜得られるので、カバー部２１が容易に捲れ上がるようなことも抑えられる。
【００４８】
図１１は、他の例に係るカバー１１を携帯端末Ｘに装着した状態の平面図である。このカバーは、２種類の方法でカバー部２１をあけられるようにしたものであり、カバー部２１と保持紐部３１の境界部分に、互いに分離接合する係脱手段としての面ファスナ４１が設けられている。面ファスナ４１は、カバー部２１の下側部分に設けられ、図１２にも示したように、カバー部２１の下側部分の裏面に面ファスナの一方４２が固定され、保持紐部３１の表面に面ファスナの他方４３が固定され、相互を係合させたときには、所望の保持力が得られるように構成されている。
【００４９】
このように構成されたカバー１１では、前記のようにカバー部２１を画面Ｘａ上でずらすことでカバー部２１をあけられるほか、図１１に仮想線で示したように、面ファスナ４１の係合を外してカバー部２１を捲りあげるようにすることでも、カバー部２１をあけることができる。このため、携帯端末Ｘを使用するときの状況に応じて操作の仕方を選択できる。
【００５０】
係脱手段は面ファスナ４１以外のスナップなどで構成することもでき、係脱手段の位置は、カバー部２１に設定してカバー部２１の一部を分離接合可能にすることも、保持紐部３１に設定して保持紐部３１の一部を分離接合可能にすることもできる。
【００５１】
図１３は、保持紐部３１とその固定部３２の構成を変更したカバー１１を示す。図９（ａ）は、携帯端末Ｘにカバー１１を装着した状態の平面図であり、図９（ｂ）はその部分断面図である。このカバー１１では、カバー部２１に結合される保持紐部３１が２本で構成され、それぞれの端部がカバー部２１の上側の結合部３０または下側の結合部３０に結合されている。保持紐部３１は全体的に伸縮部３３で構成され、カバー部２１に結合されるのとは反対側の端部が、補助部材１１ｂの外周部に回転可能に結合されている。この結合は、図１３（ｂ）に示したように、リベット状の留め具３５で行い、補助部材１１ｂの固定位置には、留め具３５と携帯端末Ｘとの接触を回避するため膨出部１８が形成されている。
【００５２】
また、保持紐部３１における結合部３０と固定部３２との距離を長く取るため、カバー部２１の上側部と下側部に、内側に入り込む湾状部２８を有している。
【００５３】
このように構成されたカバー１１では、前記のようにカバー部２１を手でずらして画面Ｘａから外せば、携帯端末Ｘを使用することができる。また、前記当て部材はないものの、カバー部２１を後退位置に姿勢変更した場合には、ハンドルとしての機能も果たす。
【００５４】
この発明の構成と、前記一形態の構成との対応において、  
この発明の係脱手段は、前記面ファスナ４１に対応するも、  
この発明は、前記構成のみに限定されるものではなく、その他の構成を採用することもできる。
【００５５】
たとえば、保持紐部は全体が伸縮部ではなく、複数の部材を組み合わせるなどして一部分のみを伸縮部としてもよい。カバー部にも伸縮部を設けてもよい。
【００５６】
また、補助部材をシュリンクフィルムで構成することもできる。
【００５７】
さらに保持紐部は、平板状携帯端末の対角線上に設けられたものであってもよい。
【００５８】
カバー部が複数枚のシート材を重合して形成されたものの場合には、上面側のシート材をそれより下面側のシート材に対して着脱可能にしてもよい。このようにすることで、いわゆる着せ替えが可能となり、例えば季節や場所に相応しい装飾をすることが高い自由度をもってできるようになる。着脱のための手段は、面ファスナのほかスナップやボタンなど、適宜の手段を採用できる。
【符号の説明】
【００５９】
１１…平板状携帯端末カバー
１１ｂ…補助部材
２１…カバー部
２１ａ，２１ｂ…シート材
２２，２３，２４…装飾部材
２６，２７…装飾切欠
３１…保持紐部
３２…固定部
３３…伸縮部
３６…当て部材
４１…面ファスナ
Ｘ…平板状携帯端末
Ｘａ…画面
【図１】
2012125466.tif 000003
【図２】
2012125466.tif 000004
【図３】
2012125466.tif 000005
【図４】
2012125466.tif 000006
【図５】
2012125466.tif 000007
【図６】
2012125466.tif 000008
【図７】
2012125466.tif 000009
【図８】
2012125466.tif 000010
【図９】
2012125466.tif 000011
【図１０】
2012125466.tif 000012
【図１１】
2012125466.tif 000013
【図１２】
2012125466.tif 000014
【図１３】
2012125466.tif 000015